(57)【要約】【課題】送信電力を効率的に割り振ることができる端末装置を提供すること。【解決手段】同時に複数のセルと接続し、前記複数のセルを用いて通信を行う端末装置であって、前記接続している複数のセルのうち、少なくとも一つのセルが、一時的にデータ通信を行わないオフ状態になることを通知する制御信号を受信する制御信号処理部と、前記接続している複数のセルにおける送信電力を決定する際に、制御信号による通知内容を参照する送信電力制御部とを備える。【選択図】図１
2016001799.tif 000002
【特許請求の範囲】
【請求項１】
同時に複数のセルと接続し、前記複数のセルを用いて通信を行う端末装置であって、
前記接続している前記複数のセルのうち、少なくとも一つのセルが、一時的にデータ通信を行わないオフ状態になることを通知する制御信号を受信する制御信号処理部と、
前記接続している複数のセルにおける送信電力を決定する際に、前記制御信号による通知内容を参照する送信電力制御部と
を備える端末装置。
【請求項２】
前記送信電力制御部は、前記接続している複数のセルにおける送信電力を決定する際に、前記接続している複数のセルの所要送信電力の合計値が前記端末装置の最大送信電力を超えると判定した場合は前記制御信号による通知内容を参照して、前記接続している複数のセルで送信するチャネルおよび信号各々に送信電力を割り振る優先順位を判定する、請求項１に記載の端末装置。
【請求項３】
前記送信電力制御部は、前記オフ状態のセルで送信される制御チャネルよりも、前記オフ状態でないセルで送信される共用チャネルに、優先して電力を割り振る、請求項２に記載の端末装置。
【請求項４】
前記オフ状態でないセルで送信される共用チャネルで送信される信号は、ＵＣＩを含まない、請求項３に記載の端末装置。
【請求項５】
前記制御信号処理部は、前記制御信号を、オフ状態にならないセルから受信する、請求項１に記載の端末装置。
【請求項６】
前記制御信号は、信号生成に用いるセルＩＤ、送信周期、使用するリソースエレメント、アンテナポート、信号系列のうち少なくとも一つを示す情報である、請求項１に記載の端末装置。
【請求項７】
同時に複数のセルと接続し、前記複数のセルを用いて通信を行う端末装置における送信電力制御方法であって、
前記接続している前記複数のセルのうち、少なくとも一つのセルが、一時的にデータ通信を行わないオフ状態になることを通知する制御信号を受信する第１の過程と、
前記接続している複数のセルにおける送信電力を決定する際に、前記制御信号による通知内容を参照する第２の過程と
を有する送信電力制御方法。
【発明の詳細な説明】
【技術分野】
【０００１】
本発明は、端末装置、および送信電力制御方法に関する。
【背景技術】
【０００２】
３ＧＰＰ（The 3rd Generation Partnership Project）では、移動体通信の標準規格としてＬＴＥ（Long Term Evolution）−Ａｄｖａｎｃｅｄ（以降、ＬＴＥ−Ａという）の規格化が行われている。ＬＴＥ−Ａでは、端末装置が、セルをコンポーネントキャリア（サービングセルとも呼称される）とみなし、セルを複数集めて通信を行うキャリアアグリゲーションが採用されている。
【０００３】
３ＧＰＰへの寄書である非特許文献１では、キャリアアグリゲーションの適用により複数のコンポーネントキャリアと接続している端末装置に対して、接続している個々のコンポーネントキャリアについて、データ通信が行える状態であるか否か（オン／オフ状態）を通知することが提案されている。
【先行技術文献】
【非特許文献】
【０００４】
【非特許文献１】Qualcomm Incorporated, "Small cell on/off time reduction", 3GPP TSG-RAN WG1 #76 R1-140452, Feb 10th-14th 2014
【発明の概要】
【発明が解決しようとする課題】
【０００５】
しかしながら、セルのオン／オフ状態を切り替えることができる移動体通信システムにおいては、移動局装置における、各セルへの送信電力を割り振りが、効率的になるように行われないことがあるという問題がある。
例えば、従来、アップリンク制御チャネル（Physical Uplink Control Channel；PUCCH）には、優先的に送信電力が割り振られているが、オフ状態のセルにおけるアップリンク制御チャネルは、伝送された情報が利用されないこともあるため、優先的に送信電力を割り振っても、その送信電力が無駄になってしまうことがある。
【０００６】
本発明は、このような事情に鑑みてなされたもので、送信電力を効率的に割り振ることができる端末装置、および送信電力制御方法を提供する。
【課題を解決するための手段】
【０００７】
（１）この発明は上述した課題を解決するためになされたもので、本発明の一態様は、同時に複数のセルと接続し、前記複数のセルを用いて通信を行う端末装置であって、前記接続している前記複数のセルのうち、少なくとも一つのセルが、一時的にデータ通信を行わないオフ状態になることを通知する制御信号を受信する制御信号処理部と、前記接続している複数のセルにおける送信電力を決定する際に、前記制御信号による通知内容を参照する送信電力制御部とを備える端末装置である。
【０００８】
（２）また、この発明の他の態様は、（１）に記載の端末装置であって、前記送信電力制御部は、前記接続している複数のセルにおける送信電力を決定する際に、前記接続している複数のセルの所要送信電力の合計値が前記端末装置の最大送信電力を超えると判定した場合は前記制御信号による通知内容を参照して、前記接続している複数のセルで送信するチャネルおよび信号各々に送信電力を割り振る優先順位を判定する。
【０００９】
（３）また、この発明の他の態様は、（２）に記載の端末装置であって、前記送信電力制御部は、前記オフ状態のセルで送信される制御チャネルよりも、前記オフ状態でないセルで送信される共用チャネルに、優先して電力を割り振る。
【００１０】
（４）また、この発明の他の態様は、（３）に記載の端末装置であって、前記オフ状態でないセルで送信される共用チャネルで送信される信号は、ＵＣＩを含まない。
【００１１】
（５）また、この発明の他の態様は、（１）に記載の移動局装置であって、前記制御信号処理部は、前記制御信号を、オフ状態にならないセルから受信する。
【００１２】
（６）また、この発明の他の態様は、（１）に記載の移動局装置であって、前記制御信号は、信号生成に用いるセルＩＤ、送信周期、使用するリソースエレメント、アンテナポート、信号系列のうち、少なくとも一つを示す情報である。
【００１３】
（７）また、この発明の他の態様は、同時に複数のセルと接続し、前記複数のセルを用いて通信を行う端末装置における送信電力制御方法であって、前記接続している前記複数のセルのうち、少なくとも一つのセルが、一時的にデータ通信を行わないオフ状態になることを通知する制御信号を受信する第１の過程と、前記接続している複数のセルにおける送信電力を決定する際に、前記制御信号による通知内容を参照する第２の過程とを有する。
【発明の効果】
【００１４】
この発明によれば、送信電力を効率的に割り振ることができる。
【図面の簡単な説明】
【００１５】
【図１】この発明の第１の実施形態による移動体通信システムの構成を示す概略ブロック図である。
【図２】同実施形態による移動体通信システムの動作例を示すシーケンス図である。
【図３】同実施形態による移動局装置１３の構成を示す概略ブロック図である。
【図４】同実施形態によるオン／オフ状態の変化例を示すタイムチャートである。
【図５】同実施形態による送信電力制御部３０４の動作を説明するフローチャートである。
【図６】この発明の第２の実施形態による送信電力制御部３０４の動作を説明するフローチャートである。
【図７】この発明の第３の実施形態による送信電力制御部３０４の動作を説明するフローチャートである。
【図８】この発明の第３の実施形態の変形例による送信電力制御部３０４の動作を説明するフローチャートである。
【図９】この発明の第４の実施形態による送信電力制御部３０４の動作を説明するフローチャートである。
【発明を実施するための形態】
【００１６】
[第１の実施形態]
以下、図面を参照して、本発明の第１の実施形態について説明する。図１は、この発明の第１の実施形態による移動体通信システムの構成を示す概略ブロック図である。本実施形態による移動体通信システムは、マクロ基地局装置１１、スモール基地局装置１２、移動局装置１３（端末装置、ＵＥ（User Equipment）ともいう）を含む。マクロ基地局装置１１は、セルＣ１を構成し、移動局装置１３と無線通信する。スモール基地局装置１２は、セルＣ１の通信範囲内もしくはセルＣ１と一部の範囲が重なるように、セルＣ２を構成し、移動局装置１３と無線通信する。移動局装置１３は、セルＣ１をプライマリーセル（Primary Cell；PCell）とし、セルＣ２をセカンダリーセル（Secondary Cell；SCell）とするキャリアアグリゲーションを行い、同時にセルＣ１とセルＣ２とを用いて無線通信を行う。なお、本実施形態では、オン／オフ状態の切り替えが行われるのは、セカンダリーセルのみであるとして説明する。また、プライマリーセルはマクロ基地局装置ではなく、オン／オフ状態の切り替えが行われないスモールセルでも良い。
【００１７】
なお、キャリアアグリゲーションで集められるセルは、基本となる一つのプライマリーセルと、追加される一つまたは複数のセカンダリーセルとからなる。本実施形態におけるセルＣ２は、セカンダリーセルであるが、移動局から基地局への送信であるアップリンクを含む。すなわち、セルＣ１、Ｃ２ともに、基地局から移動局への送信であるダウンリンクと、アップリンクとを含む。また、本実施形態におけるセルＣ１、Ｃ２は、ＴＤＤ（Time Division Duplex；時分割複信）であるが、ＦＤＤ（Frequency Division Duplex；周波数分割複信）方式であってもよい。
【００１８】
また、セルＣ１の周波数帯域と、セルＣ２の周波数帯域とは異なるが、セルＣ１とセルＣ２とは、同じバンド（８００ＭＨｚ帯、２ＧＨｚ帯など）に属していてもよいし、異なるバンドに属していてもよい。なお、同じバンドに属している複数のセルを集めてキャリアアグリゲーションを行うことは、イントラバンド  キャリアアグリゲーション（intra-band carrier aggregation）と呼ばれ、異なるバンドに属している複数のセルを集めてキャリアアグリゲーションを行うことは、インターバンド  キャリアアグリゲーション（inter-band carrier aggregation）と呼ばれる。
【００１９】
図２は、本実施形態による移動体通信システムの動作例を示すシーケンス図である。図２のシーケンス図において、初期状態では、移動局装置１３は、マクロ基地局装置１１とデータ通信しているが、スモール基地局装置１２とは無線通信していない。すなわち、移動局装置１３は、キャリアアグリゲーションを行っていない。ここで、データ通信しているとは、下りリンク共用チャネル（Physical Downlink Shared Channel；PDSCH）を用いた移動局装置１３へのデータ（ユーザデータ）の送信、または、上りリンク共用チャネル（Physical Downlink Shared Channel）を用いた移動局装置１３からのデータの送信を行っていることを示す。
【００２０】
このとき、マクロ基地局装置１１と移動局装置１３との間でトラフィックが増加する、もしくは隣接セルのＲＲＭ（Radio Resource Management）測定により良好な品質での通信が可能なセルを検出などしたとする。このような場合、マクロ基地局装置１１は、セカンダリーセルへの、スモール基地局装置１２のセルＣ２追加の指示ｍ１（SCell_Addition）を、移動局装置１３に通知する。この指示ｍ１は、例えば、ＲＲＣ（Radio Resource Control）シグナリングのｓＣｅｌｌＴｏＡｄｄＭｏｄＬｉｓｔに、セルＣ２を示すインデックスを含めたものである。
【００２１】
セルＣ２追加の指示ｍ１を受けた移動局装置１３は、マクロ基地局装置１１のセルＣ１をプライマリーセル、スモール基地局装置１２のセルＣ２をセカンダリーセルとして、キャリアアグリゲーションを行う。ただし、セルＣ２追加の指示ｍ１を受けただけでは、セルＣ２は、活性化されていないため、セルＣ２でのサウンディング参照信号（Sounding Reference Symbol；SRS）の送信、セルＣ２に関するＣＱＩ／ＰＭＩ／ＲＩ／ＰＴＩの報告、セルＣ２での下り制御チャネル（Physical Downlink Control Channel；PDCCH）の監視、セルＣ２に関する下り制御チャネルの監視は行われない。
【００２２】
次に、マクロ基地局装置１１は、セルＣ２活性化の指示ｍ２（SCell_Activation）を、移動局装置１３に通知する。セルＣ２活性化の指示ｍ２は、例えば、ＭＡＣ（Mediaum Access Control）シグナリングのＡｃｔｉｖａｔｉｏｎ／Ｄｅａｃｔｉｖａｔｉｏｎ  ＭＡＣ  Ｃｏｎｔｒｏｌ  Ｅｌｅｍｅｎｔにおいて、セルＣ２に対応するビットを１が設定されたものである。セルＣ２活性化の指示ｍ２を受けた移動局装置１３は、セルＣ２でのサウンディング参照信号の送信、セルＣ２に関するＣＱＩ／ＰＭＩ／ＲＩ／ＰＴＩの報告、セルＣ２での下り制御チャネルの監視、セルＣ２に関する下り制御チャネルの監視を開始する。これにより、移動局装置１３は、セルＣ１を使用したマクロ基地局装置１１とのデータ通信と、セルＣ２を使用したスモール基地局装置１２とのデータ通信とを行うようになる。
【００２３】
次に、トラフィックが減少すると、マクロ基地局装置１１が、スモール基地局装置１２をオフ状態にすることを決定する。マクロ基地局装置１１は、スモール基地局装置１２に対してオフ状態を指示し、セルＣ２をオフ状態とする通知ｍ３（SCell_OFF）を、移動局装置１３に送信する。ここで、セルのオフ状態とは、そのセルがセカンダリーセルとして活性化されている全ての移動局との間で一時的にデータ通信は行わないが、オン状態への高速な復帰を可能とするように、ダウンリンクでのＤＲＳ（Discovery Reference Signal）の送信と、アップリンクでのサウンディング参照信号およびＣＱＩなどの受信とが続けられているスモール基地局装置１２の状態である。ここで、ＤＲＳはスモールセルのオン状態、オフ状態に関わらず送信される信号もしくはオフ状態のみに送信される信号である。したがって、通知ｍ３を受けると、移動局装置１３は、セルＣ１を使用したマクロ基地局装置１１とのデータ通信は行うが、セルＣ２を使用したスモール基地局装置１２とのデータ通信は行わない。
【００２４】
オフ状態とする通知ｍ３は、例えば、オフ状態の通知用のＲＮＴＩ（Radio Network Temporary Identifier）を使用してダウンリンク制御チャネルのＤＣＩ（Downlink Control Information）  ｆｏｒｍａｔ  １Ｃ（３ＧＰＰ  ＴＳ３６．２１２参照）により通知されてもよいし、ダウンリンク制御チャネルのその他のＤＣＩ  ｆｏｒｍａｔで通知されてもよいし、ＭＡＣシグナリングにより通知されてもよい。オフ状態とする通知ｍ３は、例えば、移動局装置１３がキャリアアグリゲーションしているセルのうち、オン／オフ状態が切り替わる可能性のあるセル（すなわち、セカンダリーセル）各々に対応したビットであって、そのセルがオン状態のときは“１”、オフ状態となるときは“０”となっているビットからなるビット列である。あるいは、オフ状態とする通知ｍ３は、セルＩＤ（物理ＩＤや仮想ＩＤもしくはその他のスモールセルを識別するＩＤ）等と、そのセルＩＤのオン／オフ状態あるいはオン／オフ状態の切り替えを示すビットとであっても良い。なお、オン／オフ状態の切り替えを高速で行うには、通知ｍ３は、上述したダウンリンク制御チャネルや、ＭＡＣシグナリングなどのＬ１（Layer 1）シグナリングにより通知されることが望ましいが、ＲＲＣシグナリングなどのＬ１シグナリング以外の方法により通知されてよい。なお、上記では活性化されたセルがオン状態とオフ状態の切り替えを行うものとしたが、非活性化されたセルがオン状態とオフ状態の切り替えを行っても良い。
【００２５】
なお、移動局装置１３は、セルＣ２がオフ状態であっても、セルＣ２のダウンリンクにおける参照信号の受信と、アップリンクでのサウンディング参照信号の送信と、アップリンク制御チャネルの送信とは行う。オフ状態では、データ通信を行わないので、移動局装置１３は、オフ状態となっているセルＣ２に関する下り制御チャネルのうち、ＰＤＳＣＨのリソース割当てを行う制御情報、ＰＵＳＣＨのリソース割当てをする制御情報の監視は行わない。
【００２６】
また、オフ状態におけるダウンリンクのＤＲＳは、Ｃｅｌｌ  Ｓｐｅｃｉｆｉｃ  Ｒｅｆｅｒｅｎｃｅ  Ｓｉｇｎａｌ（ＣＲＳ）であってもよいし、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ（ＣＳＩ−ＲＳ）であってもよいし、それらの送信周期が長くなったものでもよいし、オン状態とアンテナポートや送信に用いるリソースエレメントが異なるコンフィグレーションとしたものでも良いし、それらの信号系列がオン状態と異なる系列として生成されていても良いし、その他の参照信号であってもよい。また、オフ状態におけるダウンリンクで送信される信号は、ＰＳＳ（Primary Synchronization signal）、ＳＳＳ（Secondary Synchronization signal）が含まれても良く、それらの送信周期が長くなったものでも良い。また、オフ状態とする通知ｍ３は、オン／オフ状態を示すビットではなく、オン状態とオフ状態で送信する参照信号などの異なる設定（例えば、送信周期、使用するリソースエレメント、アンテナポート、信号系列、信号生成に用いるセルＩＤの少なくとも一つ）を通知することで移動局装置１３へ通知されても良い。
【００２７】
次に、トラフィックが再び増加すると、マクロ基地局装置１１が、スモール基地局装置１２をオン状態に戻すことを決定する。マクロ基地局装置１１は、スモール基地局装置１２に対してオン状態を指示し、セルＣ２をオン状態とする通知ｍ４（ＳＣｅｌｌ＿ＯＮ）を、移動局装置１３に送信する。オン状態とする通知ｍ４は、オフ状態とする通知ｍ３と同様にして通知される。通知ｍ４を受けると、移動局装置１３は、セルＣ１を使用したマクロ基地局装置１１とのデータ通信と、セルＣ２を使用したスモール基地局装置１２とのデータ通信とを行うようになる。
【００２８】
図３は、移動局装置１３の構成を示す概略ブロック図である。移動局装置１３は、ＰＵＳＣＨ生成部３０１、ＰＵＣＣＨ生成部３０２、ＳＲＳ生成部３０３、送信電力制御部３０４、スケジューリング部３０５、マッピング部３０６、送信部３０７、アンテナ部３０８、受信部３０９、デマッピング部３１０、データ信号処理部３１１、制御信号処理部３１２を含む。
【００２９】
ＰＵＳＣＨ生成部３０１は、アップリンク共用チャネル（Physical Uplink Shared Channel；ＰＵＳＣＨ）の信号を生成する。ＰＵＳＣＨ生成部３０１が生成する信号は、アップリンクの各リソースエレメントに配置される周波数領域の信号である。なお、リソースエレメントとは、サブキャリア番号とＯＦＤＭシンボル番号とで定義される無線リソースの最小単位である。ＰＵＳＣＨ生成部３０１は、その平均振幅が、送信電力制御部３０４から指定された送信電力に応じた振幅となるように、アップリンク共用チャネルの信号を生成する。例えば、ＰＵＳＣＨ生成部３０１は、予めサブキャリア当たりの送信電力と、シンボル値に乗じる係数とを対応付けるルックアップテーブルを記憶している。そして、ＰＵＳＣＨ生成部３０１は、送信電力制御部３０４から指定された送信電力を、アップリンク共用チャネルのサブキャリア数で割った値に対応する係数をルックアップテーブルから読み出し、該係数をアップリンク共用チャネルの各周波数スペクトルに乗じる。
【００３０】
なお、アップリンク共用チャネルは、aｐｅｒｉｏｄｉｃ  ＣＳＩ（Channel State Information）、ＲＲＣシグナリング、ＭＡＣシグナリングなどの制御信号およびデータなどを送信するチャネルである。なお、ＣＳＩには、ＣＱＩ（Channel Quality Indicator）、ＰＭＩ（Precoding Matrix Indicator）、ＰＴＩ（Precoding Type Indicator）、ＲＩ（Rank Indicator）などが含まれる。
【００３１】
ＰＵＣＣＨ生成部３０２は、アップリンク制御チャネル（Physical Uplink Control Channel；ＰＵＣＣＨ）の信号を生成する。ＰＵＣＣＨ生成部３０２が生成する信号は、アップリンクの各リソースエレメントに配置される周波数領域の信号である。ＰＵＣＣＨ生成部３０２は、ＰＵＳＣＨ生成部３０１と同様に、その平均振幅が、送信電力制御部３０４から指定された送信電力に応じた振幅となるように、アップリンク制御チャネルの信号を生成する。なお、アップリンク制御チャネルは、ダウンリンク共用チャネル（Physical Downlink Shared Channel；ＰＤＳＣＨ）に対するＡＣＫ／ＮＡＣＫ、ｐｅｒｉｏｄｉｃ  ＣＳＩ（Channel State Information）、ＳＲ（Scheduling Request）などを送信するチャネルである。
【００３２】
ＳＲＳ生成部３０３は、サウンディング参照信号（Sounding Reference Signal）を生成する。ＳＲＳ生成部３０３が生成する信号は、アップリンクの各リソースエレメントに配置される周波数領域の信号である。ＳＲＳ生成部３０３は、ＰＵＳＣＨ生成部３０１と同様に、その平均振幅が、送信電力制御部３０４から指定された送信電力に応じた振幅となるように、サウンディング参照信号を生成する。
【００３３】
送信電力制御部３０４は、移動局装置１３が各セルにて送信するチャネルおよび参照信号の送信電力をサブフレーム毎に決定し、ＰＵＳＣＨ生成部３０１、ＰＵＣＣＨ生成部３０２、ＳＲＳ生成部３０３に通知する。送信電力制御部３０４は、送信電力を決定する際に、スケジューリング部３０５が決定した各セルにおける各チャネル（ＰＵＳＣＨ、ＰＵＣＣＨ）および参照信号（ＳＲＳ）の配置と、制御信号処理部３１２が受信処理したセカンダリーセルのオン／オフ状態の通知（図２の通知ｍ３、ｍ４）とを参照する。送信電力制御部３０４による送信電力の決定方法の詳細は、後述する。
【００３４】
スケジューリング部３０５は、サブフレーム毎に、各セルにおける各チャネル（ＰＵＳＣＨ、ＰＵＣＣＨ）および参照信号（ＳＲＳ）の配置を決定する。スケジューリング部３０５は、例えば、アップリンク共用チャネルの配置を、ダウンリンク制御チャネルにて通知されたリソース割り当て情報に基づき決定する。なお、本実施形態の移動局装置１３は、ＰＣｅｌｌであるセルＣ１だけでなく、ＳＣｅｌｌであるセルＣ２でもアップリンク制御チャンネルの送信をサポートする。マッピング部３０６は、ＰＵＳＣＨ生成部３０１、ＰＵＣＣＨ生成部３０２、ＳＲＳ生成部３０３の各々が生成した信号を、スケジューリング部３０５の決定に従い、各セルのリソースエレメントに配置し、各セルのサブフレームの周波数領域信号を構成する。
【００３５】
送信部３０７は、マッピング部３０６により構成された周波数領域信号を、セル毎に逆高速フーリエ変換した後、ガードインターバル（Guard Interval）を付加して、各セルの時間領域信号を生成する。送信部３０７は、各セルの時間領域信号を、ディジタル／アナログ変換、無線周波数へのアップコンバートなどして、無線送信信号を生成し、アンテナ部３０８を介して無線送信する。なお、送信部３０７は、セルの周波数帯域が近い場合などには、複数のセルの周波数領域信号を纏めて逆高速フーリエ変換した後、ガードインターバル（Guard Interval）を付加して、複数のセルを纏めた時間領域信号を生成してもよい。
【００３６】
アンテナ部３０８は、各セルで無線通信するための一つまたは複数のアンテナを含む。なお、セルＣ１で無線通信するためのアンテナと、セルＣ２で無線通信するためのアンテナとは、同一であってもよいし、異なっていてもよい。
【００３７】
受信部３０９は、アンテナ部３０８を介して受信した各セルの無線受信信号を、ベースバンド周波数にダウンコンバート、アナログ／ディジタル変換などして、ガードインターバルを含む時間領域信号を得る。受信部３０９は、この時間領域信号から、ガードインターバルを除去した後、高速フーリエ変換して、周波数領域信号を得る。
【００３８】
デマッピング部３１０は、受信部３０９により得られた各セルの周波数領域信号から、自装置宛の制御信号と、自装置宛のデータ信号とを抽出し、それぞれ、制御信号処理部３１２、データ信号処理部３１１に入力する。なお、制御信号には、ダウンリンク制御チャネル（Physical Downlink Control Channel；ＰＤＣＣＨ）、ダウンリンク共用チャネル（Physical Downlink Shared Channel；ＰＤＳＣＨ）で伝送されるＲＲＣシグナリングやＭＡＣシグナリングなどがある。また、データ信号は、ダウンリンク共用チャネルで伝送される。
【００３９】
データ信号処理部３１１は、デマッピング部３１０から入力されたデータ信号に対して、復調、復号などの受信処理を行うことで、マクロ基地局装置１１とスモール基地局装置１２とから送信されたデータを復元する。制御信号処理部３１２は、デマッピング部３１０から入力された制御信号に対して、復調、復号などの受信処理を行うことで、マクロ基地局装置１１とスモール基地局装置１２とから送信された制御信号を復元する。制御信号処理部３１２は、復元した制御信号のうち、各チャネルおよび参照信号のスケジューリングに関する情報をスケジューリング部３０５に入力する。また、制御信号処理部３１２は、復元した制御信号のうち、各チャネルおよび参照信号の送信電力に関する情報を送信電力制御部３０４に入力する。
【００４０】
なお、スケジューリングに関する情報には、アップリンク共用チャネルの無線リソースの割り当て、ＣＳＩの送信周期とオフセット、ＳＲＳの送信周期とオフセットなどがある。また、送信電力に関する情報には、セカンダリーセルのオン／オフ状態の通知がある。
【００４１】
図４は、オン／オフ状態の変化例を示すタイムチャートである。図４において、横軸は、時間である。サブフレームＰＳＦ１、ＰＳＦ２、・・・、ＰＳＦ８は、プライマリーセルであるセルＣ１のサブフレームである。サブフレームＳＳＦ１、ＳＳＦ２、・・・、ＳＳＦ８は、セカンダリーセルであるセルＣ２のサブフレームである。また、図４において、サブフレームＰＳＦ１、ＳＳＦ１は、アップリンクのサブフレームである。次のサブフレームＰＳＦ２、ＳＳＦ２、ＰＳＦ３、ＳＳＦ３は、ダウンリンクのサブフレームである。次のサブフレームＰＳＦ４、ＳＳＦ４は、部分的なダウンリンクと、部分的なアップリンクとを含むサブフレームである。次のサブフレームＰＳＦ５、ＳＳＦ５、ＰＳＦ６、ＳＳＦ６は、アップリンクのサブフレームである。次のサブフレームＰＳＦ７、ＳＳＦ７、ＰＳＦ６、ＳＳＦ６は、アップリンクのサブフレームである。
【００４２】
なお、図４に示すように、セルＣ１のサブフレームと、セルＣ２のサブフレームとは、完全には時間が一致しているとは限らないが、サブフレーム番号が同じであれば、同じ時間のサブフレームとみなす。例えば、図４では、サブフレームＳＳＦ１と、サブフレームＰＳＦ１とは、同じサブフレーム番号である。
【００４３】
図４の例では、ダウンリンクのサブフレームＰＳＦ３にて、セルＣ２をオフ状態とする通知ＳＣｅｌｌ＿ＯＦＦが送信されている。この通知ＳＣｅｌｌ＿ＯＦＦを受信した移動局装置１３では、送信電力制御部３０４が、通知ＳＣｅｌｌ＿ＯＦＦを受信したサブフレームＰＳＦ３の次のセルＣ２のサブフレームＳＳＦ４およびそれ以降は、オフ状態であるとして、各セルの送信電力を制御する。
【００４４】
図４の例では、次に、ダウンリンクのサブフレームＰＳＦ７にて、セルＣ２をオン状態とする通知ＳＣｅｌｌ＿ＯＮが送信されている。この通知ＳＣｅｌｌ＿ＯＮを受信した移動局装置１３では、送信電力制御部３０４が、通知ＳＣｅｌｌ＿ＯＮを受信したサブフレームＰＳＦ７の次のセルＣ２のサブフレームＳＳＦ８およびそれ以降は、ＯＮ状態であるとして、各セルの送信電力を制御する。
【００４５】
なお、本実施形態の移動体通信システムは、時間分割複信であるため、通知ＳＣｅｌｌ＿ＯＦＦ、ＳＣｅｌｌ＿ＯＮは、ダウンリンクのサブフレームで送信されているが、周波数分割複信であれば、いずれのフレームでも送信可能である。また、通知ＳＣｅｌｌ＿ＯＦＦが送信された次のサブフレームからオフ状態となる場合を説明したが、これに限らない。例えば、通知ＳＣｅｌｌ＿ＯＦＦにオフ状態となるサブフレーム番号が含まれていてもよいし、通知ＳＣｅｌｌ＿ＯＦＦが送信されてから所定のサブフレーム数後にオフ状態なってもよい。通知ＳＣｅｌｌ＿ＯＮについても同様である。
また、同じサブフレーム番号であっても、セルＣ１のサブフレームと、セルＣ２のサブフレームとで、アップリンク／ダウンリンクが異なっていてもよい。
【００４６】
図５は、送信電力制御部３０４の動作を説明するフローチャートである。図５のフローチャートは、プライマリーセルであるセルＣ１にて、アップリンク共用チャネルを送信し、セカンダリーセルであるセルＣ２にて、アップリンク制御チャネルを送信するサブフレームの送信電力を制御する際の処理を示す。
【００４７】
まず、送信電力制御部３０４は、プライマリーセルであるセルＣ１におけるアップリンク共用チャネル（ＰＵＳＣＨ）の送信電力を算出する（Ｓａ１）。次に、送信電力制御部３０４は、セカンダリーセルであるセルＣ２におけるアップリンク制御チャネル（ＰＵＣＣＨ）の送信電力を算出する（Ｓａ２）。次に、送信電力制御部３０４は、ステップＳａ１、Ｓａ２にて算出した送信電力の合計が、最大送信電力ＰＣＭＡＸよりも大きいか否かを判定する（Ｓａ３）。なお、最大送信電力ＰＣＭＡＸは、キャリアアグリゲーションされた複数のセルの送信電力の合計に対する上限値である。
【００４８】
ステップＳａ３にて、合計が最大送信電力ＰＣＭＡＸよりも大きくないと判定したときは（Ｓａ３−Ｎｏ）、ステップＳａ１、Ｓａ２にて算出した送信電力を、アップリンク共用チャネルの送信電力と、アップリンク制御チャネルの送信電力とする。
一方、ステップＳａ３にて、合計が最大送信電力ＰＣＭＡＸよりも大きいと判定したときは（Ｓａ３−Ｙｅｓ）、送信電力制御部３０４は、送信電力の算出対象のサブフレームにおいて、セカンダリーセルがオフ状態であるか否かを判定する（Ｓａ４）。オフ状態であると判定したときは（Ｓａ４−Ｙｅｓ）、送信電力制御部３０４は、アップリンク共用チャネルの送信電力を優先して、合計が最大送信電力ＰＣＭＡＸ以下となるようにアップリンク制御チャネルの送信電力を削減する（Ｓａ６）。
【００４９】
例えば、送信電力制御部３０４は、ステップＳａ１にて算出したアップリンク共用チャネルの送信電力をＰｔｘ（Ｐｃｅｌｌ  ＰＵＳＣＨ）、ステップＳａ２にて算出したアップリンク制御チャネルの送信電力をＰｔｘ（Ｓｃｅｌｌ  ＰＵＣＣＨ）としたときに、式（１）を満たす係数Ａ（０＜Ａ≦１）を決定し、その係数ＡをＰｔｘ（Ｓｃｅｌｌ  ＰＵＣＣＨ）に乗じて、アップリンク制御チャネルの送信電力とする。
Ａ・Ｐｔｘ（Ｓｃｅｌｌ  ＰＵＣＣＨ）≦ＰＣＭＡＸ−Ｐｔｘ（Ｐｃｅｌｌ  ＰＵＳＣＨ）  ・・・（１）
なお、ＰＣＭＡＸ、Ｐｔｘ（Ｐｃｅｌｌ  ＰＵＳＣＨ）、Ｐｔｘ（Ｓｃｅｌｌ  ＰＵＣＣＨ）は、例えば、ワット[Ｗ]などを単位とするリニア値である。
【００５０】
また、ステップＳａ４にて、オフ状態でない（オン状態である）と判定したときは（Ｓａ４−Ｎｏ）、送信電力制御部３０４は、アップリンク制御チャネルの送信電力を優先して、合計が最大送信電力ＰＣＭＡＸ以下となるようにアップリンク共用チャネルの送信電力を削減する（Ｓａ５）。
【００５１】
例えば、送信電力制御部３０４は、式（２）を満たすＡを決定し、Ｐｔｘ（Ｐｃｅｌｌ  ＰＵＳＣＨ）に乗じて、アップリンク共用チャネルの送信電力とする。
Ａ・Ｐｔｘ（Ｐｃｅｌｌ  ＰＵＳＣＨ）≦ＰＣＭＡＸ−Ｐｔｘ（Ｓｃｅｌｌ  ＰＵＣＣＨ）  ・・・（２）
【００５２】
このように、送信電力制御部３０４は、セカンダリーセルがオフ状態であるときは、セカンダリーセルのアップリンク制御チャネルよりも、プライマリーセルのアップリンク共用チャネルに優先して送信電力を割り振る。セカンダリーセルのアップリンク制御チャネルにて、セカンダリーセルのダウンリンクに関するＣＳＩを送信している場合、このＣＳＩは、セカンダリーセルがオン状態となってダウンリンク共用チャネルの送信が行われるまで使用されない、また、オン状態となるのが長時間先である場合など、使用されないこともある。なお、本実施形態ではＰＵＳＣＨで送信される信号はＵＣＩ（Uplink Control Information；上りリンク制御情報）を含まないデータ信号であること前提としているが、ＵＣＩを含んでいても良い。
【００５３】
このため、セカンダリーセルのアップリンク制御チャネルにて、セカンダリーセルのダウンリンクのＣＳＩを送信している場合など、使用されない可能性のある情報に送信電力を奪われることなく、アップリンク共用チャネルに送信電力を割り振ることができるので、送信電力を効率的に割り振ることができる。
【００５４】
[第２の実施形態]
以下、図面を参照して、本発明の第２の実施形態について説明する。本実施形態における移動体通信システムは、第１の実施形態と同様の構成である。また、本実施形態における移動局装置１３は、第１の実施形態と同様の構成であるが、送信電力制御部３０４の動作が異なるので、以下、送信電力制御部３０４について説明する。
【００５５】
図６は、送信電力制御部３０４の動作を説明するフローチャートである。図６のフローチャートは、プライマリーセルであるセルＣ１およびセカンダリーセルであるセルＣ２にて、サウンディング参照信号を送信するサブフレームの送信電力を制御する際の処理を示す。
【００５６】
まず、送信電力制御部３０４は、プライマリーセルであるセルＣ１におけるサウンディング参照信号（ＳＲＳ）の送信電力を算出する（Ｓｂ１）。次に、送信電力制御部３０４は、セカンダリーセルであるセルＣ２におけるサウンディング参照信号（ＳＲＳ）の送信電力を算出する（Ｓｂ２）。次に、送信電力制御部３０４は、ステップＳｂ１、Ｓｂ２にて算出した送信電力の合計が、最大送信電力ＰＣＭＡＸよりも大きいか否かを判定する（Ｓｂ３）。
【００５７】
ステップＳｂ３にて、合計が最大送信電力ＰＣＭＡＸよりも大きくないと判定したときは（Ｓｂ３−Ｎｏ）、ステップＳｂ１、Ｓｂ２にて算出した送信電力を、各セルのサウンディング参照信号の送信電力とする。
一方、ステップＳｂ３にて、合計が最大送信電力ＰＣＭＡＸよりも大きいと判定したときは（Ｓｂ３−Ｙｅｓ）、送信電力制御部３０４は、送信電力の算出対象のサブフレームにおいて、セカンダリーセルがオフ状態であるか否かを判定する（Ｓｂ４）。オフ状態であると判定したときは（Ｓｂ４−Ｙｅｓ）、送信電力制御部３０４は、プライマリーセルの送信電力を優先して、合計が最大送信電力ＰＣＭＡＸ以下となるようにセカンダリーセルのサウンディング参照信号の送信電力を削減する（Ｓｂ６）。
【００５８】
例えば、送信電力制御部３０４は、ステップＳｂ１にて算出したプライマリーセルのサウンディング参照信号の送信電力をＰｔｘ（Ｐｃｅｌｌ  ＳＲＳ）、ステップＳｂ２にて算出したセカンダリーセルのサウンディング参照信号の送信電力をＰｔｘ（Ｓｃｅｌｌ  ＳＲＳ）としたときに、式（３）を満たす係数Ａ（０＜Ａ≦１）を決定し、その係数ＡをＰｔｘ（Ｓｃｅｌｌ  ＳＲＳ）に乗じて、セカンダリーセルのサウンディング参照信号の送信電力とする。
Ａ・Ｐｔｘ（Ｓｃｅｌｌ  ＳＲＳ）≦ＰＣＭＡＸ−Ｐｔｘ（Ｐｃｅｌｌ  ＳＲＳ）  ・・・（３）
なお、Ｐｔｘ（Ｐｃｅｌｌ  ＳＲＳ）、Ｐｔｘ（Ｓｃｅｌｌ  ＳＲＳ）は、例えば、ワット[Ｗ]などを単位とするリニア値である。
【００５９】
また、ステップＳｂ４にて、オフ状態でない（オン状態である）と判定したときは（Ｓｂ４−Ｎｏ）、送信電力制御部３０４は、全サウンディング参照信号の送信電力を均等に削減する（Ｓｂ５）。
【００６０】
例えば、送信電力制御部３０４は、式（４）を満たすＡを決定し、Ｐｔｘ（Ｐｃｅｌｌ  ＳＲＳ）、Ｐｔｘ（Ｓｃｅｌｌ  ＳＲＳ）に乗じて、それぞれ、プライマリーセル、セカンダリーセルのサウンディング参照信号の送信電力とする。
Ａ×（Ｐｔｘ（Ｐｃｅｌｌ  ＳＲＳ）＋Ｐｔｘ（Ｓｃｅｌｌ  ＳＲＳ））≦ＰＣＭＡＸ  ・・・（４）
【００６１】
なお、セカンダリーセルが複数あり、それらのうち一部がオフ状態であるときは、オン状態のセカンダリーセルのサウンディング参照信号の送信電力の合計をＰｔｘ（ＳＣｅｌｌ＿ＯＮ  ＳＲＳ）、オフ状態のセカンダリーセルのサウンディング参照信号の送信電力の合計をＰｔｘ（ＳＣｅｌｌ＿ＯＦＦ  ＳＲＳ）として、式（３）に代えて、下記の式（３’）を用いる。
Ａ・Ｐｔｘ（Ｓｃｅｌｌ＿ＯＦＦ  ＳＲＳ）≦ＰＣＭＡＸ−Ｐｔｘ（Ｐｃｅｌｌ  ＳＲＳ）−Ｐｔｘ（Ｓｃｅｌｌ＿ＯＮ  ＳＲＳ）  ・・・（３’）
【００６２】
このように、送信電力制御部３０４は、セカンダリーセルがオフ状態であるときは、セカンダリーセルのサウンディング参照信号よりも、プライマリーセルのサウンディング参照信号に優先して送信電力を割り振る。サウンディング参照信号に対する測定結果は、アップリンク共用チャネルの配置を決定する際にも用いられる。しかし、オフ状態にあるセカンダリーセルでは、アップリンク共用チャネルの配置が行われないため、そのセカンダリーセルのサウンディング参照に対する測定結果の重要度は、プライマリーセルやオン状態のセカンダリーセルのサウンディング参照に対する測定結果の重要度よりも低くなる。  このため、重要度の高い、プライマリーセルのサウンディング参照に送信電力を割り振ることができるので、送信電力を効率的に割り振ることができる。また、オフ状態であってもサウンディング参照信号を送信しているので、オン状態に切り替わった直後も、その測定結果を用いたスケジューリングを行うことができる。
【００６３】
[第３の実施形態]
以下、図面を参照して、本発明の第３の実施形態について説明する。本実施形態における移動体通信システムは、第１の実施形態と同様の構成である。また、本実施形態における移動局装置１３は、第１の実施形態と同様の構成であるが、送信電力制御部３０４の動作が異なるので、以下、送信電力制御部３０４について説明する。
【００６４】
図７は、送信電力制御部３０４の動作を説明するフローチャートである。図７のフローチャートは、プライマリーセルであるセルＣ１にてアップリンク共用チャネルまたはアップリンク制御チャネルを送信し、セカンダリーセルであるセルＣ２にてサウンディング参照信号を送信するサブフレームの送信電力を制御する際の処理を示す。
【００６５】
まず、送信電力制御部３０４は、プライマリーセルであるセルＣ１におけるアップリンク共用チャネル（ＰＵＳＣＨ）またはアップリンク制御チャネル（ＰＵＣＣＨ）の送信電力を算出する（Ｓｃ１）。次に、送信電力制御部３０４は、セカンダリーセルであるセルＣ２におけるサウンディング参照信号（ＳＲＳ）の送信電力を算出する（Ｓｃ２）。次に、送信電力制御部３０４は、ステップＳｃ１、Ｓｃ２にて算出した送信電力の合計が、最大送信電力ＰＣＭＡＸよりも大きいか否かを判定する（Ｓｃ３）。
【００６６】
ステップＳｃ３にて、合計が最大送信電力ＰＣＭＡＸよりも大きくないと判定したときは（Ｓｃ３−Ｎｏ）、ステップＳｃ１、Ｓｃ２にて算出した送信電力を、それぞれ、アップリンク共用チャネル（ＰＵＳＣＨ）またはアップリンク制御チャネル（ＰＵＣＣＨ）と、サウンディング参照信号の送信電力とする。
一方、ステップＳｃ３にて、合計が最大送信電力ＰＣＭＡＸよりも大きいと判定したときは（Ｓｃ３−Ｙｅｓ）、送信電力制御部３０４は、送信電力の算出対象のサブフレームにおいて、セカンダリーセルがオフ状態であるか否かを判定する（Ｓｃ４）。オフ状態であると判定したときは（Ｓｃ４−Ｙｅｓ）、送信電力制御部３０４は、プライマリーセルの送信電力を優先して、合計が最大送信電力ＰＣＭＡＸ以下となるようにセカンダリーセルのサウンディング参照信号の送信電力を削減する（Ｓｃ６）。
【００６７】
例えば、送信電力制御部３０４は、ステップＳｃ１にて算出したプライマリーセルのアップリンク共用チャネル（ＰＵＳＣＨ）またはアップリンク制御チャネル（ＰＵＣＣＨ）の送信電力をＰｔｘ（Ｐｃｅｌｌ  ＰＵＳＣＨ／ＰＵＣＣＨ）、ステップＳｃ２にて算出したセカンダリーセルのサウンディング参照信号の送信電力をＰｔｘ（Ｓｃｅｌｌ  ＳＲＳ）としたときに、式（５）を満たす係数Ａ（０＜Ａ≦１）を決定し、その係数ＡをＰｔｘ（Ｓｃｅｌｌ  ＳＲＳ）に乗じて、セカンダリーセルのサウンディング参照信号の送信電力とする。
Ａ・Ｐｔｘ（Ｓｃｅｌｌ  ＳＲＳ）≦ＰＣＭＡＸ−Ｐｔｘ（Ｐｃｅｌｌ  ＰＵＳＣＨ／ＰＵＣＣＨ）  ・・・（５）
なお、Ｐｔｘ（Ｐｃｅｌｌ  ＰＵＳＣＨ／ＰＵＣＣＨ）は、例えば、ワット[Ｗ]などを単位とするリニア値である。
【００６８】
また、ステップＳｃ４にて、オフ状態でない（オン状態である）と判定したときは（Ｓｃ４−Ｎｏ）、送信電力制御部３０４は、セカンダリーセルのサウンディング参照信号の送信電力を０にする（Ｓｃ５）。すなわち、移動局装置１３は、セカンダリーセルのサウンディング参照信号の送信を行わない。
【００６９】
このように、送信電力制御部３０４は、セカンダリーセルがオフ状態であるときは、プライマリーセルにてアップリンク共用チャネルあるいはアップリンク制御チャネルを送信するときも、最大送信電力を超えない範囲で、セカンダリーセルのサウンディング参照信号を送信する。なお、本実施形態ではＰＵＳＣＨで送信される信号はＵＣＩ（Uplink Control Information）を含まないデータ信号であってもＵＣＩを含んでいても良い。
【００７０】
図１では、スモール基地局装置を、スモール基地局装置１２の一つのみ示したが、同一の周波数帯域を使用するスモール基地局装置が複数配置されるクラスター配置と呼ばれる配置方法がある。このクラスター配置の場合には、各スモール基地局装置において、このサウンディング参照信号の受信レベルを測定し、これらのスモール基地局装置を管理する装置は、該測定の結果に基づき、各スモール基地局装置を、オン状態にすべきかオフ状態にすべきかを決定することができる。このため、オフ状態であっても、最大送信電力を超えない範囲で、セカンダリーセルのサウンディング参照信号を送信することで、各スモール基地局装置の通信範囲に位置する移動局装置の数を把握することができ、各スモール基地局装置を、オン状態にすべきかオフ状態にすべきかの決定を、より的確に行うことができる。
【００７１】
[第３の実施形態の変形例]
第３の実施形態では、セカンダリーセルがオフ状態であるときは、プライマリーセルにてアップリンク共用チャネルあるいはアップリンク制御チャネルを送信するときも、最大送信電力を超えない範囲で、セカンダリーセルのサウンディング参照信号を送信する。しかし、最大送信電力を超えないようにしたときに、送信電力が小さいと、スモール基地局装置での測定結果における誤差が大きすぎてしまう。そこで、本変形例では、ステップＳｃ６における係数Ａが、予め設定された閾値以上でなければ、サウンディング参照信号の送信電力を０とする。
【００７２】
図８は、送信電力制御部３０４の動作を説明するフローチャートである。図８のフローチャートは、図７と同様に、プライマリーセルであるセルＣ１にてアップリンク共用チャネルまたはアップリンク制御チャネルを送信し、セカンダリーセルであるセルＣ２にてサウンディング参照信号を送信するサブフレームの送信電力を制御する際の処理を示す。図８のフローチャートは、ステップＳｃ６の後に、ステップＳｄ７を有する点が、図７と異なる。その他のステップＳｃ１からＳｃ６は、図７と同様である。
【００７３】
ステップＳｄ７では、送信電力制御部３０４は、ステップＳｃ６にて算出した係数Ａが、予め設定された閾値（例えば、０．９５）以上であるか否かを判定する。そして、閾値以上であると判定したときは（Ｓｄ７−Ｙｅｓ）、送信電力制御部３０４は、ステップＳｃ６にて算出した送信電力を用いる。一方、閾値以上でないと判定したときは（Ｓｄ７−Ｎｏ）、送信電力制御部３０４は、ステップＳｃ５に進み、セカンダリーセルのサウンディング参照信号の送信電力を０にする。すなわち、移動局装置１３は、セカンダリーセルのサウンディング参照信号の送信を行わない。なお、本変形例ではＰＵＳＣＨで送信される信号はＵＣＩ（Uplink Control Information）を含まないデータ信号であってもＵＣＩを含んでいても良い。
【００７４】
このように、本変形例では、セカンダリーセルがオフ状態であっても、送信電力の合計を最大送信電力以下とすると、セカンダリーセルのサウンディング参照信号の係数Ａが閾値に満たないとき、すなわち削減割合が所定の割合よりも大きくなってしまうときは、セカンダリーセルのサウンディング参照信号の送信を行わない。
これにより、削減割合が大きいために、サウンディング参照信号の測定結果から推定するパスロスに含まれる誤差が大きくなってしまうことを防ぐことができる。
【００７５】
[第４の実施形態]
以下、図面を参照して、本発明の第４の実施形態について説明する。本実施形態における移動体通信システムは、第１の実施形態と同様の構成である。また、本実施形態における移動局装置１３は、第１の実施形態と同様の構成であるが、送信電力制御部３０４の動作が異なるので、以下、送信電力制御部３０４について説明する。
【００７６】
図９は、送信電力制御部３０４の動作を説明するフローチャートである。図９のフローチャートは、プライマリーセルであるセルＣ１にてサウンディング参照信号（ＳＲＳ）を送信し、セカンダリーセルであるセルＣ２にてアップリンク制御チャネル（ＰＵＣＣＨ）を送信するサブフレームの送信電力を制御する際の処理を示す。
【００７７】
まず、送信電力制御部３０４は、プライマリーセルであるセルＣ１におけるサウンディング参照信号（ＳＲＳ）の送信電力を算出する（Ｓｅ１）。次に、送信電力制御部３０４は、セカンダリーセルであるセルＣ２におけるアップリンク制御チャネル（ＰＵＣＣＨ）の送信電力を算出する（Ｓｅ２）。次に、送信電力制御部３０４は、ステップＳｅ１、Ｓｅ２にて算出した送信電力の合計が、最大送信電力ＰＣＭＡＸよりも大きいか否かを判定する（Ｓｅ３）。
【００７８】
ステップＳｅ３にて、合計が最大送信電力ＰＣＭＡＸよりも大きくないと判定したときは（Ｓｅ３−Ｎｏ）、ステップＳｅ１、Ｓｅ２にて算出した送信電力を、それぞれ、サウンディング参照信号と、アップリンク制御チャネル（ＰＵＣＣＨ）の送信電力とする。
一方、ステップＳｅ３にて、合計が最大送信電力ＰＣＭＡＸよりも大きいと判定したときは（Ｓｅ３−Ｙｅｓ）、送信電力制御部３０４は、送信電力の算出対象のサブフレームにおいて、セカンダリーセルがオフ状態であるか否かを判定する（Ｓｅ４）。オフ状態であると判定したときは（Ｓｅ４−Ｙｅｓ）、送信電力制御部３０４は、プライマリーセルの送信電力を優先して、合計が最大送信電力ＰＣＭＡＸ以下となるようにセカンダリーセルのアップリンク制御チャネルの送信電力を削減する（Ｓｅ６）。
【００７９】
例えば、送信電力制御部３０４は、ステップＳｅ１にて算出したプライマリーセルのサウンディング参照信号（ＳＲＳ）の送信電力をＰｔｘ（Ｐｃｅｌｌ  ＳＲＳ）、ステップＳｅ２にて算出したセカンダリーセルのアップリンク制御チャネルの送信電力をＰｔｘ（Ｓｃｅｌｌ  ＰＵＣＣＨ）としたときに、式（６）を満たす係数Ａ（０＜Ａ≦１）を決定し、その係数ＡをＰｔｘ（Ｓｃｅｌｌ  ＰＵＣＣＨ）に乗じて、セカンダリーセルのサウンディング参照信号の送信電力とする。
Ａ・Ｐｔｘ（Ｓｃｅｌｌ  ＰＵＣＣＨ）≦ＰＣＭＡＸ−Ｐｔｘ（Ｐｃｅｌｌ  ＳＲＳ）  ・・・（６）
【００８０】
また、ステップＳｅ４にて、オフ状態でない（オン状態である）と判定したときは（Ｓｅ４−Ｎｏ）、送信電力制御部３０４は、プライマリーセルのサウンディング参照信号の送信電力を０にする（Ｓｅ５）。すなわち、移動局装置１３は、プライマリーセルのサウンディング参照信号の送信を行わない。
【００８１】
このように、送信電力制御部３０４は、セカンダリーセルがオフ状態であるときは、プライマリーセルにてサウンディング参照信号を送信するときも、最大送信電力を超えない範囲で、セカンダリーセルのアップリンク制御チャネルを送信する。セカンダリーセルのアップリンク制御チャネルにて、セカンダリーセルのダウンリンクに関するＣＳＩを送信している場合、このＣＳＩは、セカンダリーセルがオン状態となってダウンリンク共用チャネルの送信が行われるまで使用されない、また、オン状態となるのが長時間先である場合など、使用されないこともある。
【００８２】
このため、セカンダリーセルのアップリンク制御チャネルにて、セカンダリーセルのダウンリンクのＣＳＩを送信している場合など、使用されない可能性のある情報に送信電力を奪われることなく、アップリンク共用チャネルに送信電力を割り振ることができるので、送信電力を効率的に割り振ることができる。
【００８３】
なお、上述の各実施形態において、セルＣ１はマクロ基地局装置１１により構成されるとして説明したが、セルＣ１を構成する基地局装置は、通信範囲がマクロ基地局装置よりも狭いスモール基地局装置であってもよい。
また、上述の各実施形態において、セルＣ２の通信範囲の全体がセルＣ１の通信範囲に含まれているが、これに限らず、セルＣ２の通信範囲の一部が、セルＣ１の通信範囲に含まれていればよい。
【００８４】
また、上述の各実施形態において、オン／オフ状態の切り替えは、セカンダリーセルについてのみ行われるとして説明したが、プライマリーセルについても行われてもよい。
また、上述の各実施形態において、送信電力制御部３０４は、セカンダリーセルが、オフ状態であるか否かを参照して、送信電力を決定しているが、オフ状態になるタイミングが事前に把握できる場合には、オフ状態になるサブフレームよりも所定数のサブフレーム前から、オフ状態と同様にみなすようにしてもよい。また、逆に、オン状態になるタイミングが事前に把握できる場合には、オン状態になるサブフレームよりも所定数のサブフレーム前から、オン状態と同様にみなすようにしてもよい。
【００８５】
また、図１におけるマクロ基地局装置１１、スモール基地局装置１２、移動局装置１３の機能を実現するためのプログラムをコンピュータ読み取り可能な記録媒体に記録して、この記録媒体に記録されたプログラムをコンピュータシステムに読み込ませ、実行することにより各装置を実現してもよい。なお、ここでいう「コンピュータシステム」とは、ＯＳや周辺機器等のハードウェアを含むものとする。
【００８６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。なお、本願発明は上述の実施形態に限定されるものではない。実施形態では、端末装置もしくは通信装置の一例として移動局装置１３を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【００８７】
また、上述した図１におけるマクロ基地局装置１１、スモール基地局装置１２、移動局装置１３の各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００８８】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００８９】
１１…マクロ基地局装置
１２…スモール基地局装置
１３…移動局装置
３０１…ＰＵＳＣＨ生成部
３０２…ＰＵＣＣＨ生成部
３０３…ＳＲＳ生成部
３０４…送信電力制御部
３０５…スケジューリング部
３０６…マッピング部
３０７…送信部
３０８…アンテナ部
３０９…受信部
３１０…デマッピング部
３１１…データ信号処理部
３１２…制御信号処理部
【図１】
2016001799.tif 000003
【図２】
2016001799.tif 000004
【図３】
2016001799.tif 000005
【図４】
2016001799.tif 000006
【図５】
2016001799.tif 000007
【図６】
2016001799.tif 000008
【図７】
2016001799.tif 000009
【図８】
2016001799.tif 000010
【図９】
2016001799.tif 000011